(57)【特許請求の範囲】
【請求項１】
出荷される積荷の底面に配置される加工木材のデータと、前記積荷の左側部に積み重ねられる加工木材のデータと、前記積荷の右側部に積み重ねられる加工木材のデータと、及び前記積荷の中央に積み重ねられる加工木材のデータとを順次入力するデータ入力装置と、家屋の建築に必要な材木の加工データを読み出すメインパーソナルコンピュータと、該メインパーソナルコンピュータから読み出された家屋の建築に必要な材木の加工データとを記憶させる第１の記憶機能と、前記データ入力装置から入力された積荷の加工木材のデータを記憶する第２の記憶機能と、該第２の記憶機能から読み出された積荷の加工木材のデータと前記第１の記憶機能から順次読み出された家屋の建築に必要な材木の加工データとを比較して、前記積荷の加工データに対応する前記家屋の建築に必要な材木の加工データをピックアップする比較判定機能と、該比較判定機能から読み出された加工データを記憶する第３の記憶機能とからなるパーソナルコンピュータとからなり、該パーソナルコンピュータの前記第３の記憶機能から読み出された加工データを横加工機及び縦加工機に順次出力し、前記加工データに基づいて、搬入された木材を前記横加工機及び前記縦加工機で加工して、順次搬出することを特徴とする木材の加工装置。
【請求項２】
前記出荷される積荷の加工木材のデータは前記出荷される積荷の底面に配置される最右側の加工木材のデータと、前記積荷の右側部に積み重ねられる加工木材のデータと、前記積荷の底面に配置される最右側の次から最後の加工木材のデータと、前記積荷の左側部に積み重ねられる加工木材のデータと、及び前記積荷の中央に積み重ねられる加工木材のデータを順次入力装置に入力し、前記横加工機及び縦加工機に順次出力して加工することを特徴とする請求項１記載の木材の加工装置。
【請求項３】
前記出荷される積荷の加工木材のデータは前記出荷される積荷の底面に配置される加工木材のデータと、次に該底面の上に配置される一段の加工木材のデータと、該一段の加工木材の上に重ねられる次の段の加工木材のデータと、さらに順次次の段に積み重ねられる加工木材のデータと、最後に最上段に積み重ねられる加工木材のデータを順次入力装置に入力し、前記横加工機及び縦加工機に順次出力し、加工することを特徴とする請求項１記載の木材の加工装置。
【発明の詳細な説明】
【技術分野】
【０００１】
本発明は、順次加工されて搬出された加工木材を搬出された順に積み重ねることにより、簡単に積荷が可能となるようにした木材の加工装置に関するものである。
【背景技術】
【０００２】
この種の加工装置として、従来は、図３に示すように、入力部１及び表示部２を接続したメインパーソナルコンピュータからなる制御部３の記憶部４から家屋の建築に必要な材木の加工データを順次出力し、この加工データを加工部５に順次入力し、貯木部６から搬送された木材を加工部５で加工し、印字部７で加工された木材に家屋の何処に組み込まれるかを示す印字をして、貯木部８に搬出されるようにした木材加工制御方式が提案されている。
【０００３】
しかしながら、この木材加工制御方式では、予め決められた順序で木材が加工され、印字部７で家屋の何処に組み込まれるかを印字しているが、トラックに積み込み易いように印字しているものではないので、図４に示すように、加工された木材をトラックに積みやすいように梱包する場合は、貯木部８に搬出された加工木材の中から底部に置く加工木材９，側部に置く加工木材１０，１１及び側部の加工木材１０，１１の間に置く加工木材１２をそれぞれ選び出して置かなければならず、その作業は非常に労力を必要とし、手間がかかり、さらに時間がかかるという問題があった。
【先行技術文献】
【特許文献】
【０００４】
【特許文献１】特公平６−２０７２２号
【発明の開示】
【発明が解決しようとする課題】
【０００５】
解決しようとする問題点は、従来の木材加工制御方式では、加工木材を搬送する場合に、トラック等に積みやすいように選択して積み込むという作業に非常に労力を必要とし、手間がかかり、さらに時間がかかるという点である。
【課題を解決するための手段】
【０００６】
出荷される積荷の底面に配置される加工木材のデータ、前記積荷の左側部に積み重ねられる加工木材のデータ、前記積荷の右側部に積み重ねられる加工木材のデータ、及び前記積荷の中央に積み重ねられる加工木材のデータを順次に入力するデータ入力装置と、家屋の建築に必要な材木の加工データを読み出すメインパーソナルコンピュータと、該メインパーソナルコンピュータから読み出された家屋の建築に必要な材木の加工データを記憶させる第１の記憶機能、前記データ入力装置から入力された積荷の加工木材のデータを記憶する第２の記憶機能、該第２の記憶機能から読み出された積荷の加工木材のデータと前記第１の記憶機能から順次読み出された家屋の建築に必要な材木の加工データとを比較して、前記積荷の加工データに対応する前記家屋の建築に必要な材木の加工データをピックアップする比較判定機能、該比較判定機能から読み出された加工データを記憶する第３の記憶機能とからなるパーソナルコンピュータと、該パーソナルコンピュータの前記第３の記憶機能から読み出された加工データを横加工機及び縦加工機に順次出力して、搬入された木材を前記横加工機及び前記縦加工機で加工して搬出し、出荷される積荷の加工木材のデータを前記出荷される積荷の底面に配置される最左側の加工木材のデータ、前記積荷の左側部に積み重ねられる加工木材のデータ、前記積荷の底面に配置される最左側の次から最後の加工木材のデータ、前記積荷の右側部に積み重ねられる加工木材のデータ、及び前記積荷の中央に積み重ねられる加工木材のデータを順次に前記データ入力装置に入力して搬出して、前記加工木材を所定の位置に積み重ねることにより、出荷を容易にするものであり  前記出荷される積荷の加工木材のデータは前記出荷される積荷の底面に配置される最右側の加工木材のデータ、前記積荷の右側部に積み重ねられる加工木材のデータ、前記積荷の底面に配置される最右側の次から最後の加工木材のデータ、前記積荷の左側部に積み重ねられる加工木材のデータ、及び前記積荷の中央に積み重ねられる加工木材のデータを順次に入力装置に入力されるものであり、又、前記出荷される積荷の加工木材のデータは前記出荷される積荷の底面に配置される加工木材のデータ、次に該底面の上に配置される一段の加工木材のデータ、該一段の加工木材の上に重ねられる次の段の加工木材のデータ、さらに順次次の段に積み重ねられる加工木材のデータ、最後に最上段に積み重ねられる加工木材のデータを順次に入力装置に入力されるものであり、さらに、前記積荷の加工木材のデータは少なくとも積荷木材の幅及び長さであることを特徴とするものである。
【発明の効果】
【０００７】
予め積荷の状態を設定し、この積荷の状態に対応するように木材を加工することにより、搬出された加工木材を搬出された順に積み重ねることにより、積み重ねた加工木材はそのまま積荷することができ、加工された木材のなかから積み重ねるために加工木材を選択する必要がなく、手間がかからず、人手も必要としないという利点がある。
【発明を実施するための最良の形態】
【０００８】
本発明では、積み重ねられる加工木材の位置に対応して、メインパーソナルコンピュータから読み出される家屋の建築に必要な材木の加工データを選択することにより、選択された加工データで順次木材を加工することにより、加工されて搬出された加工木材を順次積み重ねるだけで予め設定された積荷を作ることができる。
【実施例】
【０００９】
図１は本発明の実施例の木材の加工装置のブロック図で、メインパーソナルコンピュータ１３から家屋の建築に必要な材木の加工データが読み出されてパーソナルコンピュータ１４の第１の記憶機能１４ａで記憶され、入力装置１５から入力されたデータはパーソナルコンピュータ１４の第２の記憶機能１４ｂで記憶され、第１の記憶機能１４ａと第２の記憶機能１４ｂから読み出された比較判定機能１４ｃに入力され、比較判定機能１４ｃの出力は第３の記憶機能１４ｄで記憶され、第３の記憶機能１４ｄから読み出されたデータは横加工機１６及び縦加工機１７に入力されるように構成されている。
【００１０】
ここで、トラックに積み込み易いように加工された材木を積み重ねるには、図２にしめすように、底部に加工木材Ａ１，Ａ２、・・・、Ａｎを置き、左側部に加工木材Ｂ１、Ｂ２、・・・、Ｂｎを重ね、右側部にＣ１、Ｃ２、・・・、Ｃｎを重ね、左側部の加工木材Ｂ１〜Ｂｎと右側部の加工木材Ｃ１〜Ｃｎの間に長さの異なる加工木材Ｄ１、Ｄ２や幅の異なる加工木材Ｄｎを重ねることにより、積荷をすることができるので、加工木材Ａ１〜Ａｎ、加工木材Ｂ１〜Ｂｎ、加工木材Ｃ１〜Ｃｎ、加工木材Ｄ１〜Ｄｎのデータを順次図１の木材加工装置の入力装置１５から入力して第２の記憶機能１４ｂで記憶し、この記憶されたデータを第２の記憶機能１４ｂから読み出して、比較判定機能１４ｃに入力すると、第１の記憶機能１４ａから順次読み出された家屋の建築に必要な材木の加工データから加工木材Ａ１〜Ａｎ、加工木材Ｂ１〜Ｂｎ、加工木材Ｃ１〜Ｃｎ、加工木材Ｄ１〜Ｄｎのデータとそれぞれ順次比較され、加工木材Ａ１〜Ａｎ、加工木材Ｂ１〜Ｂｎ、加工木材Ｃ１〜Ｃｎ、加工木材Ｄ１〜Ｄｎのデータに対応した家屋の建築に必要な材木の加工データがピックアップされ、このピックアップされた家屋の建築に必要な材木の加工データは第３の記憶機能１４ｄで記憶され、第３の記憶機能１４ｄから順次読み出されて横加工機１６又は縦加工機１７に入力されるので、搬入装置１８から搬入された木材は横加工機１６又は縦加工機１７で順次加工されて搬出装置１９に搬出される。
【００１１】
このように搬出された加工木材は、加工木材Ａ１〜Ａｎ、加工木材Ｂ１〜Ｂｎ、加工木材Ｃ１〜Ｃｎ、加工木材Ｄ１〜Ｄｎの順に加工されているので、搬出装置１９に搬出された加工木材を底部にＡ１〜Ａｎの順に並べ、次に、搬出装置１７に搬出された加工木材を左側部にＢ１〜Ｂｎの順に積み重ね、さらに、搬出装置１７に搬出された加工木材を右側部にＣ１〜Ｃｎの順に重ね、次に、搬出装置１７に搬出された加工木材Ｄ１〜Ｄｎを左側部のＢ１〜Ｂｎと右側部のＣ１〜Ｃｎの間に載置することにより、簡単に積荷することができる。
【００１２】
なお、加工木材Ａ１〜Ａｎ、加工木材Ｂ１〜Ｂｎ、加工木材Ｃ１〜Ｃｎ、加工木材Ｄ１〜Ｄｎのデータは少なくとも加工木材の幅及び長さを限定して、この限定されたデータで家屋の建築に必要な材木の加工データをピックアップすればよいし、又、上記実施例では、加工木材Ａ１〜Ａｎ、加工木材Ｂ１〜Ｂｎ、加工木材Ｃ１〜Ｃｎ、加工木材Ｄ１〜Ｄｎの順に加工データを入力装置１５から入力するようにしたが、加工木材Ａ１、加工木材Ｂ１〜Ｂｎ、加工木材Ａ２〜Ａｎ、加工木材Ｃ１〜Ｃｎ、加工木材Ｄ１〜Ｄｎの順に加工してもよいし、さらに、加工木材Ａｎ、加工木材Ｃ１〜Ｃｎ、加工木材Ａｎ−１〜Ａ１、加工木材Ｂ１〜Ｂｎの順に加工データを入力装置１５から入力するようにしてもよいし、加工木材Ａ１〜Ａｎの上に次の段の加工木材を重ね、次に次の段の上に重ねるというように、順次重ねて最上段まで重ねるようにした加工木材の加工データを入力装置１５に入力するようにしてもよい。。
【産業上の利用可能性】
【００１３】
なお、上記実施例において、加工木材Ｂ１〜Ｂｎ、加工木材Ｃ１〜Ｃｎ、加工木材Ｄ１〜Ｄｎのｎを３以上に設定すれば、任意の幅及び高さの積荷が形成され、トラックに積まれる積荷を簡単に形成することができる。
【図面の簡単な説明】
【００１４】
【図１】図１は本発明の実施例の木材の加工装置のブロック図である。
【図２】図２は図１の木材の加工装置で加工されるた加工木材を積み上げた積荷の斜視図である。
【図３】図３は従来の木材加工制御方式のブロック図である。
【図４】図４は一般に形成される積荷の斜視図である。
【符号の説明】
【００１５】
１３            メインパーソナルコンピュータ
１４            パーソナルコンピュータ
１５            入力装置
１６            横加工機
１７            縦加工機
１８            搬入装置
１９            搬出装置
【図１】
0005294240.tif 000002
【図２】
0005294240.tif 000003
【図３】
0005294240.tif 000004
【図４】
0005294240.tif 000005